(57)【特許請求の範囲】
【請求項１】
四角筒状の胴部の開放端に連設されて互いに対向する一対の内フラップを、該胴部の開放端を覆うように折り曲げ、
胴部の開放端に連設されて両内フラップの対向方向に直交して互いに対向する一対の外フラップを、両内フラップの外面を覆うように折り曲げると共に両外フラップの先端縁同士を突き当てて該胴部の開放端を閉塞し、
両外フラップの先端縁同士を突き当てた突き当て部に沿って所定幅の紙製粘着テープを貼着することにより封止される段ボール箱において、
一方の外フラップの角隅部に、前記突き当て部に沿って貼着された前記粘着テープから露出する位置を始端として後端が外フラップの先端縁に至る破断可能線により切除可能とされた切除可能片を設け、
前記突き当て部を介して該切除可能片に隣接する他方の外フラップの角隅部に、前記切除可能片の突き当て部側の端縁に沿って形成されることにより前記粘着テープが非貼着となる切欠部を設けたことを特徴とする段ボール箱。
【請求項２】
前記切除可能片を備える外フラップにおける該切除可能片に隣接する位置に、前記粘着テープが非貼着となる他の切欠部を設けたことを特徴とする請求項１記載の段ボール箱。
【発明の詳細な説明】
【技術分野】
【０００１】
本発明は、物品の包装に用いられ、物品を収容してフラップを閉じた後に紙製粘着テープにより封止される段ボール箱に関する。
【背景技術】
【０００２】
一般に、四角筒状の胴部の開放端縁に連設されて互いに対向する一対の内フラップを、該胴部の開放端を覆うように折り曲げ、次いで、胴部の開放端縁に連設されて両内フラップの対向方向に直交して互いに対向する一対の外フラップを、両内フラップの外面を覆うように折り曲げると共に両外フラップの先端縁同士を突き当てて該胴部の開放端を閉塞する段ボール箱においては、両外フラップの先端縁同士を突き当てた突き当て部に沿って所定幅の紙製粘着テープを貼着することにより封止される。
【０００３】
この種の段ボール箱においては、粘着テープをカッター等の刃具を用いて破断することにより開封されるが、段ボール箱の内部に収納されている物品が刃具により損傷するおそれがあるため、カッター等の刃具を用いることなく手作業で粘着テープを破断或いは除去することが望ましい。しかし、粘着テープは段ボール箱の外フラップに強固に貼着されているために、手作業による粘着テープの破断や除去は極めて煩わしい。
【０００４】
そこで、従来、一方の外フラップの角隅部に、破断可能線により切除可能とされた切除可能片を設け、この切除可能片を摘んで引き上げる等の作業を行うことにより、切除可能片と共に粘着テープを引き剥がせるようにした段ボール箱が知られている（下記特許文献１参照）。
【先行技術文献】
【特許文献】
【０００５】
【特許文献１】特開２００６−５１９５８号公報
【発明の概要】
【発明が解決しようとする課題】
【０００６】
しかしながら、上記特許文献１のものでは、切除可能片の周囲に粘着テープが強固に貼着された状態では、切除可能片を引き上げ操作に粘着テープの剥離を追従させることが困難であり、例えば、切除可能片の切除時に粘着テープの一部が切除可能片と共に切断されてしまい、突き当て部に沿った殆どの部分で粘着テープが残留して段ボール箱の開封が不十分となる場合がある。この場合には、残留した粘着テープを更に手作業で引き剥がす必要があり、かえって開封作業の効率が悪化する不都合があった。
【０００７】
上記の点に鑑み、本発明は、外フラップの突き当て部の全長にわたって円滑に粘着テープを引き剥がすことができ、開封作業を効率よく行うことができる段ボール箱を提供することを目的とする。
【課題を解決するための手段】
【０００８】
本発明は、四角筒状の胴部の開放端に連設されて互いに対向する一対の内フラップを、該胴部の開放端を覆うように折り曲げ、胴部の開放端に連設されて両内フラップの対向方向に直交して互いに対向する一対の外フラップを、両内フラップの外面を覆うように折り曲げると共に両外フラップの先端縁同士を突き当てて該胴部の開放端を閉塞し、両外フラップの先端縁同士を突き当てた突き当て部に沿って所定幅の紙製粘着テープを貼着することにより封止される段ボール箱において、一方の外フラップの角隅部に、前記突き当て部に沿って貼着された前記粘着テープから露出する位置を始端として後端が外フラップの先端縁に至る破断可能線により切除可能とされた切除可能片を設け、前記突き当て部を介して該切除可能片に隣接する他方の外フラップの角隅部に、前記切除可能片の突き当て部側の端縁に沿って形成されることにより前記粘着テープが非貼着となる切欠部を設けたことを特徴とする。
【０００９】
本発明によれば、一方の外フラップの角隅部に設けた前記切除可能片を切除することで、突き当て部の一方の端部からの粘着テープの引き剥がし作業を円滑に開始することができる。
【００１０】
更に本発明においては、切除可能片に隣接する他方の外フラップの角隅部に前記切欠部を設けたことにより、切除可能片の引き上げ操作に伴う粘着テープの適度な剥がれ易さが得られる。これにより、切除可能片の引き上げた際の粘着テープの剥離開始が容易に得られ、粘着テープの一部が切除可能片と共に切断される事態も防止でき、切除可能片と粘着テープとの貼着状態を維持して粘着テープの剥離を円滑に行うことができる。
【００１１】
また、一般に、突き当て部に沿って貼着された粘着テープは、その端部が段ボール箱の胴部に貼着されている。一方、切欠部は、粘着テープの一部を非貼着とすることにより、切欠部における粘着テープが比較的破れ易くなる。これにより、切除可能片を切除する際に、粘着テープと切除可能片との貼着状態を確実に維持しつつ、剥離させる側の粘着テープと段ボール箱の胴部に貼着されている側の粘着テープとを容易に切り離すことができる。
【００１２】
以上のように、前記切除可能片だけでなく前記切欠部を設けたことにより、外フラップの突き当て部の全長にわたって円滑に且つ確実に粘着テープを引き剥がすことができ、開封作業を効率よく行うことができる。
【００１３】
また、本発明においては、前記切除可能片を備える外フラップにおける該切除可能片に隣接する位置に、前記粘着テープが非貼着となる他の切欠部を設けることが好ましい。他の切欠部を設けることにより、切除可能片が設けられている外フラップ側においても、切除可能片の隣接位置で粘着テープが非貼着とされる。これにより、切除可能片の引き上げ操作に伴って切除可能片の隣接位置の粘着テープを容易に突き当て部から引き離すことができ、粘着テープの引き剥がし途中での切断を確実に防止することがきる。
【図面の簡単な説明】
【００１４】
【図１】本発明の実施形態の段ボール箱を示す説明的斜視図。
【図２】本実施形態の段ボール箱の要部を示す説明的平面図。
【図３】本実施形態の段ボール箱の開封作業を示す説明図。
【図４】他の切欠部の変形例を示す説明図。
【図５】切除可能片の他の形態を示す説明図。
【発明を実施するための形態】
【００１５】
本発明の一実施形態を図面に基づいて説明する。図１に示すように、本実施形態の段ボール箱は、閉塞された底部を有する四角筒状の胴部１を備え、該胴部１の内部に図示しない被包装物を収容した後、一対の内フラップ２，３と一対の外フラップ４，５とにより天部６が閉塞されるものである。
【００１６】
即ち、内フラップ２，３は、胴部１の一部を構成して前後方向に対向する各側板７，８の上縁に折り目線９，１０を介して連設されており、外フラップ４，５は、胴部１の一部を構成して左右方向に対向する各側板１１，１２の上縁に折り目線１３，１４を介して連設されている。
【００１７】
天部６を閉塞するときには、先ず、一対の内フラップ２，３を折り目線９，１０により互いに内方に折り曲げて水平とする。このとき、両内フラップ２，３の互いに向き合う先端縁の間には間隙が形成される。次いで、一対の外フラップ４，５を折り目線１３，１４により互いに内方に折り曲げて内フラップ２，３上に重合させる。これにより、両外フラップ４，５の先端縁が互いに突き当てられ（突き当て部１５）、天部６が閉塞される。その後、突き当て部１５に沿って粘着テープ１６（図１において仮想線示する）を貼着し、天部６が封止される。
【００１８】
粘着テープ１６は、裏面に接着剤が塗布された所定幅の紙製粘着テープであり、カッター等の刃具を用いなくても作業者が破くことができるものとしてクラフトテープ、ガムテープ等の周知のものが用いられる。
【００１９】
図１及び図２に示すように、本実施形態の段ボール箱の一方の外フラップ４の角隅部には、切除可能片１７が形成されている。また、前記突き当て部１５を介して該切除可能片１７に隣接する他方の外フラップ５の角隅部には、第１の切欠部１８（切欠部）が形成されている。更に、切除可能片１７を備える外フラップ４における該切除可能片１７に隣接する位置には、第２の切欠部１９（他の切欠部）が形成されている。
【００２０】
図２に示すように、切除可能片１７は、外フラップ４の一側縁の粘着テープ１６から露出する位置を始端として後端が外フラップ４の先端縁に至るミシン目による破断可能線２０により該外フラップ４から切除可能に設けられている。破断可能線２０は、突き当て部１５と平行に延びる初期破断部２１と、該初期破断部２１の終端から屈曲して外フラップ４の先端縁に向かって延びる破断進行部２２とで構成されている。
【００２１】
第１の切欠部１８は、切除可能片１７に対応する他方の外フラップ５に形成されていて、突き当て部１５に沿った切除可能片１７の長さ寸法よりも長い距離にわたって粘着テープ１６が非貼着となるように形成されている。即ち、一方の外フラップ４の角隅部においては、粘着テープ１６が切除可能片１７に貼着された状態となっているが、切除可能片１７に対応する他方の外フラップ５の角隅部においては、粘着テープ１６が非貼着状態となっている。
【００２２】
第２の切欠部１９は、切除可能片１７に隣接していることにより切除可能片１７の近傍において粘着テープ１６が非貼着状態とされる。
【００２３】
以上の構成による本実施形態の段ボール箱においては、次のようにして粘着テープ１６を引き剥がし開封する。粘着テープ１６は、突き当て部１５に沿って貼着されており、その端部が段ボール箱の前後側板の一部に貼着されている。
【００２４】
先ず、段ボール箱の一側の角部側（折目線９の側）から切除可能片１７を摘んで切除可能片１７を起立させるように引き起こす。これにより、粘着テープ１６が突き当て部１５の一端で破断される。
【００２５】
そして、図３に示すように、更に切除可能片１７を引き上げると、第１の切欠部１８に対応する位置の粘着テープ１６が切除可能片１７を引き上げに追従して破れる。一方、切除可能片１７と粘着テープ１６との貼着状態が維持され、切除可能片１７の引き上げ操作により、突き当て部１５に沿って粘着テープ１６の剥離が進行する。このとき更に、切除可能片１７の近傍の第２の切欠部１９により、粘着テープ１６の剥離が促され、粘着テープ１６の剥離が円滑に進行する。
【００２６】
このように、切除可能片１７の引き上げ切除操作に追従して第１の切欠部１８により粘着テープ１６が円滑に破断され、且つ、第２の切欠部１９により切除可能片１７の近傍で非貼着状態の粘着テープ１６が容易に剥離する。これにより、切除可能片１７の引き上げた際の粘着テープ１６の剥離開始が容易に得られ、粘着テープ１６の一部が切除可能片１７と共に切断される事態も防止でき、切除可能片１７と粘着テープ１６との貼着状態を維持して、突き当て部１５の全長にわたる粘着テープ１６の剥離を円滑に行うことができる。
【００２７】
なお、本実施例においては、第２の切欠部１９を設けることにより、粘着テープ１６の円滑な剥離性を向上させているが、外フラップ４の強度保持を考慮する場合には第２の切欠部１９を設けなくてもよい。
【００２８】
また、本実施例においては、図２に示すように、略矩形状に切り抜かれた形状の第２の切欠部１９を有するものを示したが、これに替えて、例えば、図４に示すように、内縁角部が湾曲する形状に切り抜き形成された第２の切欠部２３を設けてもよい。このような形状の第２の切欠部２３によれば、粘着テープ１６を剥離させる際に段ボール製であることによるライナの剥がれを小さくして円滑な剥離を行うことができる。
【００２９】
また、本実施例においては、図２に示すように、突き当て部１５と平行に延びる初期破断部２１と、該初期破断部２１の終端から屈曲して外フラップ４の先端縁に向かって延びる破断進行部２２とで構成される破断可能線２０により該外フラップ４から切除可能とされた切除可能片１７を示したが、これに替えて、図５に示すように、外フラップ４の一側端から突き当て部１５と平行に延びる切込み２４を設け、該切込み２４の奥端から外フラップ４の先端縁に向かって延びる破断可能線２５により切除可能となる切除可能片２６を設けてもよい。この切除可能片２６においては、更に、切込み２４の奥端と外フラップ４の角部とを繋ぐ折目線２７を設けることにより、切除可能片２６の摘み上げを容易とすることができる。
【符号の説明】
【００３０】
１…胴部、２，３…内フラップ、４，５…外フラップ、１５…突き当て部、１６…粘着テープ、１７，２６…切除可能片、２０，２５…破断可能線、１８…第１の切欠部（切欠部）、１９，２３…第２の切欠部（他の切欠部）。
【図１】
0005393631.tif 000002
【図２】
0005393631.tif 000003
【図３】
0005393631.tif 000004
【図４】
0005393631.tif 000005
【図５】
0005393631.tif 000006